(57)【特許請求の範囲】
【請求項１】
少なくとも表面が金属である実装基板と、
前記実装基板の表面に形成された第一の絶縁層と、
前記第一の絶縁層の上層として形成された配線層と、
実装基板上にマトリックス状に表面実装された、同一仕様である多数個のＬＥＤチップと、を備えたＬＥＤ光源装置において、
前記ＬＥＤチップと同数のマイクロリフレクターを有するリフレクターブロックを備え、
前記マイクロリフレクターが、底部開口と底部開口よりも大径の上部開口とを有し、
前記第一の絶縁層が、ナノ粒子化されたＳｉＯ２及び白色無機顔料を含む液材を塗布し、加熱してなる多孔質の無機系白色絶縁層により構成されること、
前記配線層が、前記多孔質の無機系白色絶縁層に染み込み硬化する樹脂および金属粉末を含有する金属ペーストを塗布し、加熱して形成された第一の導電層と、第一の導電層の上面に印刷により配線パターンをなして設け、加熱して形成された第一の導電層よりも肉厚かつ低抵抗の材料からなる第二の導電層とを備えて構成されていることを特徴とするＬＥＤ光源装置。
【請求項２】
前記配線層の上層として反射層として機能する第二の絶縁層が、前記配線層を露出させる露出部を残すように形成されていることを特徴とする請求項１に記載のＬＥＤ光源装置。
【請求項３】
前記第二の導電層が、銀ペーストを印刷し、加熱して形成されること、
前記第二の絶縁層が、ナノ粒子化されたＳｉＯ２及び白色無機顔料を含む液材を塗布し、加熱してなる多孔質の無機系白色絶縁層により構成されることを特徴とする請求項２に記載のＬＥＤ光源装置。
【請求項４】
前記マイクロリフレクターの上部開口が、底部開口に対し７０〜８５°で拡径されており、底部開口と上部開口との距離が４〜８ｍｍであることを特徴とする請求項２または３に記載のＬＥＤ光源装置。
【請求項５】
前記マイクロリフレクターが千鳥配置されていることを特徴とする請求項４に記載のＬＥＤ光源装置。
【請求項６】
配光角度が３０度以下であり、全光束値が５００ルーメン以上であり、かつ、プロジェクター用であることを特徴とする請求項２ないし５のいずれかに記載のＬＥＤ光源装置。
【請求項７】
前記ＬＥＤチップの上面視形状が実質正方形であり、最大定格電流３００ｍＡ以上であることを特徴とする請求項６に記載のＬＥＤ光源装置。
【請求項８】
前記リフレクターブロックが一体成形された樹脂材料により構成され、
前記マイクロリフレクターの内周面に、金属材料からなる反射層が形成されていることを特徴とする請求項７に記載のＬＥＤ光源装置。
【請求項９】
前記リフレクターブロックの心材に金属、外周部に樹脂が一体成形され、前記マイクロリフレクターの内周面に、金属材料からなる反射層が形成されていることを特徴とする請求項７に記載のＬＥＤ光源装置。
【請求項１０】
前記マイクロリフレクターが、上部開口と、前記ＬＥＤチップが近傍に配置される底部開口と、反射面とを備え、
前記反射面が、底部開口側に位置し、前記ＬＥＤチップからの照射光を中心軸側に集光するよう作用する第一の内周面と、第一の内周面よりも上部開口側に位置し且つ中心軸に対する角度が狭い第二の内周面と、第二の内周面よりも上部開口側に位置し且つ中心軸に対する角度が狭い第三の内周面とを備えて構成されることを特徴とする請求項６ないし９のいずれかに記載のＬＥＤ光源装置。
【請求項１１】
前記各内周面の断面形状が、直線状であることを特徴とする請求項１０に記載のＬＥＤ光源装置。
【請求項１２】
赤色光用ＬＥＤ光源装置と、前記赤色光用ＬＥＤ光源装置から射出される光を変調する赤色光用透過型液晶パネルと、
緑色光用ＬＥＤ光源装置と、前記緑色光用ＬＥＤ光源装置から射出される光を変調する緑色光用透過型液晶パネルと、
青色光用ＬＥＤ光源装置と、前記赤色光用ＬＥＤ光源装置から射出される光を変調する赤色光用透過型液晶パネルと、
赤色光、緑色光および青色光を合成するダイクロイックプリズムと、
ダイクロイックプリズムからの合成光を投写する投写光学系と、を備えたプロジェクターにおいて、
前記赤色光用ＬＥＤ光源装置、前記緑色光用ＬＥＤ光源装置および前記青色光用ＬＥＤ光源装置が、請求項２ないし１１のいずれかに記載のＬＥＤ光源装置により構成されることを特徴とするプロジェクター。
【請求項１３】
前記赤色光用ＬＥＤ光源装置、前記緑色光用ＬＥＤ光源装置および前記青色光用ＬＥＤ光源装置の全光束値が、２０００ルーメン以上であることを特徴とする請求項１２に記載のプロジェクター。
【請求項１４】
前記マイクロリフレクターが構成する照射面が、前記各液晶パネルと比べ一回り大きく構成されていることを特徴とする請求項１２または１３に記載のプロジェクター。
【請求項１５】
前記多数個のＬＥＤチップが、紫外光を発光することを特徴とする請求項１ないし５のいずれかに記載のＬＥＤ光源装置。
【請求項１６】
前記白色無機顔料が、アルミナであることを特徴とする請求項１５に記載のＬＥＤ光源装置。
【請求項１７】
請求項１５または１６に記載のＬＥＤ光源装置を複数個連設してなる光源を有するＵＶインク硬化用装置。
【請求項１８】
請求項１５または１６に記載のＬＥＤ光源装置を複数個連設してなる光源を有するＵＶ殺菌用装置。
【請求項１９】
前記多数個のＬＥＤチップが、赤外光を発光することを特徴とする請求項１ないし６のいずれかに記載のＬＥＤ光源装置。
【発明の詳細な説明】
【技術分野】
【０００１】
本発明は、ＬＥＤ光源装置およびプロジェクターに関し、例えば、光束分布および指向性に優れ、３個の光源からの全光束値が２０００ルーメン（ｌｍ）以上（好ましくは３０００ｌｍ以上）であるプロジェクター用ＬＥＤ光源装置および同光源装置を備えるプロジェクターに関する。
【背景技術】
【０００２】
近年、発光部をＬＥＤ（Light Emitting Diode:発光ダイオード）に代替した照明器具が多数提案されており、プロジェクターにおいても超高圧水銀ランプに代わるＬＥＤ光源が提案されている。
例えば、特許文献１では、図２０に示す光学構成のプロジェクターが提案されている。符号１０Ｒは赤色光用のＬＥＤであり、符号１０Ｇは緑色光用のＬＥＤであり、符号１０Ｂは青色光用のＬＥＤであり、各ＬＥＤからの光はコリメーターレンズ１２により平行化された後、各液晶ライトバルブ１００に入射し、変調され、ダイクロイックプリズム１４に入射する。ダイクロイックプリズム１４で合成された光は、ズームリング１７を有する投射レンズ１６からスクリーンに投射される。
【０００３】
しかしながら、単一のＬＥＤからの発光によっては、水銀ランプ同等の明るいプロジェクターを提供することはできない。そこで、特許文献２では、対向する入光端面と出光端面との面積が被照射体における表示領域の面積よりも相対的に大きい面積を有する導光体と、前記導光体の前記入光端面側に配置され該入光端面の面積と略等しい発光面積を有する光源と、を備え、前記導光体の前記出光端面には、前記被照射体の前記表示領域の面積と略等しい面積の第１の開口が形成されているとともに、前記第１の開口以外の領域に出光側反射部材が設けられ、前記導光体の入光側には、前記光源からの光軸方向において前記出光側反射部材と対向する入光側反射部材が設けられている照明装置が提案されている。
【０００４】
しかしながら、特許文献２の光学構造では、プロジェクター本体の大きさが巨大にならざるを得ない。他方でＬＥＤ素子の集積度を高めると、放熱性の悪くなる発光中心部の光量が特に低下するドーナツ化現象が生じるという課題がある。そこで、出願人等は、特許文献３において、少なくとも表面が金属である基板の表面に平均粒径が数ｎｍ〜数百ｎｍであるＳｉＯ２粒子及び白色無機顔料を含む液材を塗布し、焼成することにより、白色絶縁層と金属層の積層構造を形成することにより、ドーナツ化現象を解決することができる半導体装置を提案した。
【先行技術文献】
【特許文献】
【０００５】
【特許文献１】特開２０１２−１５５０４９号公報
【特許文献２】特開２０１４−１８７０２６号公報
【特許文献３】特許第５４５６２０９号公報
【発明の概要】
【発明が解決しようとする課題】
【０００６】
本発明は、配光角が３０度以下（好ましくは２６度以下、より好ましくは２０度以下）であり、光束分布および指向性に優れたＬＥＤ光源装置および同光源装置を備える卓上型のプロジェクターを提供することを目的とする。また、本発明は、全光束値が２０００ルーメン（ｌｍ）以上のＬＥＤ光源装置および同光源装置を備える卓上型のプロジェクターを提供することを目的とする。
【課題を解決するための手段】
【０００７】
第１の発明は、少なくとも表面が金属である実装基板と、前記実装基板の表面に形成された第一の絶縁層と、前記第一の絶縁層の上層として形成された配線層と、実装基板上にマトリックス状に表面実装された、同一仕様である多数個のＬＥＤチップと、を備えたＬＥＤ光源装置において、前記ＬＥＤチップと同数のマイクロリフレクターを有するリフレクターブロックを備え、前記マイクロリフレクターが、底部開口と底部開口よりも大径の上部開口とを有し、前記第一の絶縁層が、ナノ粒子化されたＳｉＯ２及び白色無機顔料を含む液材を塗布し、１６０〜２５０℃で加熱してなる多孔質の無機系白色絶縁層により構成されること、前記配線層が、前記多孔質の無機系白色絶縁層に染み込み硬化する樹脂および金属粉末を含有する金属ペーストを塗布し、加熱して形成された第一の導電層と、第一の導電層の上面に印刷により配線パターンをなして設け、加熱して形成された第一の導電層よりも肉厚かつ低抵抗の材料からなる第二の導電層とを備えて構成されていることを特徴とするＬＥＤ光源装置である。
第２の発明は、第１の発明において、前記配線層の上層として反射層として機能する第二の絶縁層が、前記配線層を露出させる露出部を残すように形成されていることを特徴とする。
第３の発明は、第２の発明において、前記第二の導電層が、銀ペーストを印刷し、加熱して形成されること、前記第二の絶縁層が、ナノ粒子化されたＳｉＯ２及び白色無機顔料を含む液材を塗布し、１６０〜２５０℃で加熱してなる多孔質の無機系白色絶縁層により構成されることを特徴とする。
第４の発明は、第２または３の発明において、前記マイクロリフレクターの上部開口が、底部開口に対し７０〜８５°で拡径されており、底部開口と上部開口との距離が４〜８ｍｍであることを特徴とする。
第５の発明は、第４の発明において、前記マイクロリフレクターが千鳥配置されていることを特徴とする。
第６の発明は、第２ないし５のいずれかの発明において、配光角度が３０度以下であり、全光束値が５００ルーメン以上であり、かつ、プロジェクター用であることを特徴とする。
【０００８】
第７の発明は、第６の発明において、前記ＬＥＤチップの上面視形状が実質正方形であり、最大定格電流３００ｍＡ以上であることを特徴とする。
第８の発明は、第７の発明において、前記リフレクターブロックが一体成形された樹脂材料により構成され、前記マイクロリフレクターの内周面に、金属材料からなる反射層が形成されていることを特徴とする。
第９の発明は、第７の発明において、前記リフレクターブロックの心材に金属、外周部に樹脂が一体成形され、前記マイクロリフレクターの内周面に、金属材料からなる反射層が形成されていることを特徴とする。
第１０の発明は、第６ないし９のいずれかの発明において、前記マイクロリフレクターが、上部開口と、前記ＬＥＤチップが近傍に配置される底部開口と、反射面とを備え、前記反射面が、底部開口側に位置し、前記ＬＥＤチップからの照射光を中心軸側に集光するよう作用する第一の内周面と、第一の内周面よりも上部開口側に位置し且つ中心軸に対する角度が狭い第二の内周面と、第二の内周面よりも上部開口側に位置し且つ中心軸に対する角度が狭い第三の内周面とを備えて構成されることを特徴とする。
第１１の発明は、第１０の発明において、前記各内周面の断面形状が、直線状であることを特徴とする。
第１２の発明は、赤色光用ＬＥＤ光源装置と、前記赤色光用ＬＥＤ光源装置から射出される光を変調する赤色光用透過型液晶パネルと、緑色光用ＬＥＤ光源装置と、前記緑色光用ＬＥＤ光源装置から射出される光を変調する緑色光用透過型液晶パネルと、青色光用ＬＥＤ光源装置と、前記赤色光用ＬＥＤ光源装置から射出される光を変調する赤色光用透過型液晶パネルと、赤色光、緑色光および青色光を合成するダイクロイックプリズムと、ダイクロイックプリズムからの合成光を投写する投写光学系と、を備えたプロジェクターにおいて、前記赤色光用ＬＥＤ光源装置、前記緑色光用ＬＥＤ光源装置および前記青色光用ＬＥＤ光源装置が、第２ないし１１のいずれかの発明のＬＥＤ光源装置により構成されることを特徴とするプロジェクターである。
第１３の発明は、第１２の発明において、前記赤色光用ＬＥＤ光源装置、前記緑色光用ＬＥＤ光源装置および前記青色光用ＬＥＤ光源装置の全光束値が、２０００ルーメン以上であることを特徴とする。
第１４の発明は、第１２または１３の発明において、前記マイクロリフレクターが構成する照射面が、前記各液晶パネルと比べ一回り大きく構成されていることを特徴とする。
第１５の発明は、第１ないし５の発明において、前記多数個のＬＥＤチップが、紫外光を発光することを特徴とする。
第１６の発明は、第１５の発明において、前記白色無機顔料が、アルミナであることを特徴とする。
第１７の発明は、第１５または１６の発明にかかるＬＥＤ光源装置を複数個連設してなる光源を有するＵＶインク硬化用装置。
第１８の発明は、第１５または１６の発明にかかるＬＥＤ光源装置を複数個連設してなる光源を有するＵＶ殺菌用装置。
第１９の発明は、第１ないし６の発明において、前記多数個のＬＥＤチップが、赤外光を発光することを特徴とする。
【発明の効果】
【０００９】
本発明によれば、配光角が３０度以下であり、光束分布および指向性に優れた、全光束値が２０００ルーメン（ｌｍ）以上のＬＥＤ光源装置および同光源装置を備える卓上型のプロジェクターを提供することが可能となる。
【図面の簡単な説明】
【００１０】
【図１】第一実施形態に係るプロジェクターの構成図である。
【図２】第一実施形態に係るＬＥＤ光源装置の構成側面図である。
【図３】（ａ）第一実施形態に係るリフレクターブロックの平面図と、（ｂ）マイクロリフレクターの模式図である。
【図４】マイクロリフレクターと液晶ライトバルブの大小関係を示す模式図である。
【図５】リフレクターブロックの変形例の平面図と側面図である。
【図６】図５のリフレクターブロックを備えるＬＥＤ光源装置の斜視図である。
【図７】第一実施形態に係るリフレクターブロックの配光角のシミュレーション結果である。（ａ）はリフレクター無し、（ｂ）はリフレクター有り（レンズ無し）、（ｂ）はリフレクター有り（レンズ有り）の場合を示している。（ａ１）は（ａ）の要部拡大図、（ｂ１）は（ｂ）の要部拡大図である。
【図８】第二実施形態に係るマイクロリフレクターの形状を示す側面模式図である。
【図９】第二実施形態に係るマイクロリフレクターの光学特性を説明するための側面模式図である。
【図１０】（ａ）第二実施形態に係るリフレクターブロックの平面図と、（ｂ）第三実施形態に係るＬＥＤ光源装置の平面図である。
【図１１】第四実施形態に係るマイクロリフレクターの形状を示す側面模式図であり、（ａ）はマイクロリフレクター９１ａ、（ｂ）はマイクロリフレクター９１ｂ、（ｃ）はマイクロリフレクター９１ｃである。
【図１２】第四実施形態に係るマイクロリフレクター９１ａの内周面形状を説明するための側面図である。
【図１３】（ａ１）は第四実施形態に係るマイクロリフレクター９１ａの形状を示す側面模式図、（ｂ１）は比較例１に係るマイクロリフレクター９２の形状を示す側面模式図、（ａ２）は第四実施形態（マイクロリフレクター９１ａ）に係るＬＥＤ光源装置の指向性のシミュレーション結果であり、（ｂ２）は比較例１に係るＬＥＤ光源装置の指向性のシミュレーション結果である。
【図１４】第五実施形態に係るＬＥＤ光源装置の平面図である。
【図１５】第五実施形態に係るマイクロリフレクターの形状を示す側面模式図である。
【図１６】公知のＬＥＤ光源装置である比較例２の構成側面図である。
【図１７】ＬＥＤ光源装置の配光角のシミュレーション結果であり、（ａ）は第五実施形態に係るＬＥＤ光源装置、（ｂ）は比較例２に係るＬＥＤ光源装置、（ｃ）は比較例３に係るＬＥＤ光源装置の結果を示している。
【図１８】ＬＥＤ光源装置の光束量および光束分布のシミュレーション結果であり、（ａ）は第五実施形態に係るＬＥＤ光源装置、（ｂ）は比較例２に係るＬＥＤ光源装置、（ｃ）は第四実施形態（マイクロリフレクター９１ｂ）に係るＬＥＤ光源装置の結果を示している。
【図１９】ＬＥＤ光源装置の指向性のシミュレーション結果であり、（ａ）は第五実施形態に係るＬＥＤ光源装置、（ｂ）は比較例２に係るＬＥＤ光源装置、（ｃ）は第四実施形態（マイクロリフレクター９１ｂ）に係るＬＥＤ光源装置の結果を示している。
【図２０】従来のプロジェクターの構成図である。
【図２１】第六実施形態に係るＬＥＤ光源装置の構成側面図である。
【図２２】配線層の断面構造を示す模式図である。
【図２３】第七実施形態に係るＬＥＤ光源装置の構成側面図である。
【図２４】マイクロリフレクターが５×５個の千鳥状に配置されたリフレクターブロックにおける、（ａ）平面図、（ｂ）マイクロリフレクターの範囲を示している。
【図２５】マイクロリフレクターが７×６個の千鳥状に配置されたリフレクターブロックにおける、（ａ）平面図、（ｂ）マイクロリフレクターの範囲を示している。
【図２６】第八実施形態に係るＬＥＤ光源装置の構成側面図である。
【図２７】第九実施形態に係る実装基板の平面図である。
【図２８】第九実施形態に係るモジュール基板の平面図である。
【図２９】第七実施形態に係るＬＥＤ光源装置の紫外線分布のシミュレーション結果であり、（ａ）は受光面の距離が４０ｍｍ、（ｂ）は受光面の距離が６０ｍｍ、（ｃ）は受光面の距離が８５ｍｍにおける結果を示している。
【発明を実施するための形態】
【００１１】
以下、例示に基づき本発明を説明する。
《第一実施形態》
＜構成＞
図１は、第一実施形態に係るプロジェクター１の構成図である。
本実施形態のＬＥＤ光源装置は、３つのＬＥＤ光源装置２１と、３つのコリメーターレンズ２２と、３つの液晶ライトバルブ２３と、ダイクロイックプリズム３１と、投写光学系３２とを備えて構成される。
【００１２】
ＬＥＤ光源装置２１、コリメーターレンズ２２および液晶ライトバルブ２３は、Ｒ（赤色）、Ｇ（緑色）、Ｂ（青色）の光をダイクロイックプリズム３１へ出射するためのものである。
ＬＥＤ光源装置２１Ｒからの赤色光（Ｒ光）は、コリメーターレンズ２２Ｒで平行化され、液晶ライトバルブ２３Ｒで光変調される。液晶ライトバルブ２３Ｒは、マトリクス状に配置された透過型の液晶パネル（ＨＴＰＳ液晶パネル）であって、Ｒ光を映像信号に応じて画素毎に変調する公知の光変調器である。ＬＥＤ光源装置２１Ｇからの緑色光（Ｇ光）およびＬＥＤ光源装置２１Ｂからの青色光（Ｂ光）も同様であり、コリメーターレンズ２２Ｇ，２２Ｂで平行化され、公知の液晶ライトバルブ２３Ｇ，２３Ｂで光変調される。
【００１３】
ダイクロイックプリズム３１は、互いに直交するように配置された２つのダイクロイック膜を有して、一方のダイクロイック膜１４はＲ光を反射するが、Ｒ光以外のＧ光およびＢ光を透過し、他方のダイクロイック膜１４はＢ光を反射するが、Ｂ光以外のＲ光およびＧ光を透過させる。投射光学系３２は、ダイクロイックプリズム３１で合成された光が入射する複数の投写レンズと、複数の投写レンズを収容する投写レンズ筐体とを備え、投射光Ｌを出射してカラー画像をスクリーンに拡大投写する。
【００１４】
図２を参照しながら、ＬＥＤ光源装置２１の構成を詳細に説明する。なお、図２は構造を説明するための模式図であり、本実施形態におけるＬＥＤチップ４６の配置を正確に示したものではない。
ＬＥＤ光源装置２１は、実装基板４１と、実装基板４１の上面に塗布された無機系白色絶縁層４２と、無機系白色絶縁層４２の上面に塗布形成された配線層４３と、絶縁層４４と、載置部４５と、ＬＥＤチップ４６と、透光性樹脂層４７と、リフレクターブロック５０とを備えている。
【００１５】
実装基板４１は、熱伝導性および電気特性に優れる表面が金属からなる板材であり、例えば表面が銅からなる水冷構造のヒートスプレッダ（上板、中板、下板の３種類の銅板からなる積層構造体）や銅板（例えば、０．５〜１．００ｍｍ厚）により構成される。ガラスエポキシ樹脂のような熱伝導性が低い材料は、特に放熱性の悪くなる発光中心部の光量が特に低下するドーナツ化現象が生じることとなるので採用できない。
【００１６】
実装基板４１の表面には、反射材としての役割をも奏する無機系白色絶縁層４２が設けられている。無機系白色絶縁層４２は、可視光の波長域で平均反射率が７０％以上であることが好ましく、８０％以上であることがより好ましい。無機系白色絶縁層４２は、白色無機粉末（白色無機顔料）と二酸化珪素（ＳｉＯ２）を主要な成分とし、有機リン酸を含むジエチレングリコールモノブチルエーテルの溶剤でこれらを混ぜたインク（以下、「白色無機インク」という場合がある）を塗布、焼成（例えば、１６０〜２５０℃で加熱）して形成される。
【００１７】
無機系白色絶縁層４２の厚さは、放熱特性の観点からは、薄いほうが望ましいが、耐電圧と引き裂き強度の観点からは、ある程度の厚さが要求される。白色無機粉末と二酸化珪素の配合割合にもよるが、ＬＥＤ搭載に要求される絶縁膜の耐電圧は一般的には１．５〜５ｋＶであり、白色無機絶縁体は１ＫＶ／１０μｍ程度であるところ、１５μｍ以上の厚さとすることが好ましい。他方で、無機系白色絶縁層４２により放熱性能が低下するのを防ぐためには、無機系白色絶縁層４２を一定の厚さ以下とすることが好ましい。すなわち、無機系白色絶縁層４２の厚さは、例えば１０〜８０μｍの範囲で設定され、好ましく２５〜５０μｍの範囲で設定する。
【００１８】
白色無機顔料は、例えば、酸化チタン（ＴｉＯ２）、酸化亜鉛、アルミナのいずれか、或いはこれらを組み合わせたものが用いられる。成膜された白色絶縁層中の白色無機顔料の含有率は、要求される反射率等により適宜調整されるが、好ましくは４０〜７０重量％、より好ましくは、５０〜６５重量％とする。４０重量％以上とすることで十分な反射効果が得られ、７０重量％以下ならば均一な膜を形成するために必要なインクの流動性を確保できるからである。
【００１９】
白色無機粉末は、平均粒径が１００μｍ以下のものを用いることが好ましく、平均粒径が５０μｍ以下のものを用いることがより好ましい。かかる粒径の白色無機粉末は、スクリーン印刷、インクジェット法、ディスペンサー法またはスプレーコート法による塗布に好適である。
この際、白色絶縁層の放熱性能を向上させるために、上述した液材（白色無機インク）に無機材料からなる高熱伝導フィラー（例えば炭化ケイ素（ＳｉＣ）にｎｍサイズのアルミナ膜をコートしたもの）を混入させても良い。
【００２０】
このような絶縁材料からなる白色無機インクを金属板上に塗布し、例えば、１６０〜２５０℃で加熱することで、溶剤中に分散したナノサイズ絶縁粒子が基材表面の凹凸に倣って配列すると共に、溶剤が蒸発して緻密な白色絶縁層（膜）が形成される。すなわち、ナノサイズセラミックスの混合粉末を金属表面に直接接触させたまま大気圧下で加熱し、その場で焼結させ、ナノサイズ効果による拡散状態を利用して接合界面で金属表面接合し、無機系白色絶縁層の少なくとも一部が金属層との積層構造を形成する。
【００２１】
無機系白色絶縁層４２は、例えば、ガラスエポキシと比べて一桁程度熱伝導性に優れるため放熱性能は高く、同様の構成のＰＬＣＣ（Plastic leaded chip carrier）と比べると２〜５倍の放熱性能を有すると試算される。さらには、無機系白色絶縁層４２により基板上の金属面を覆うことにより硫化現象を抑制することができる。
【００２２】
無機系白色絶縁層４２上の必要位置に、配線層４３を描画形成する。配線層４３は、導電性金属インク（例えば、銀インクや銀と銅を混合したハイブリッドインク）をスクリーン印刷やインクジェット法やディスペンサー法などで描画塗布した後、焼成して金属化させることにより形成する。なお、プライマー処理を施してから配線層４３を描画形成してもよい。
【００２３】
絶縁層４４は、無機系白色絶縁層４２と同じ組成で構成してもよいし、有機系樹脂（例えば、ポリイミド系樹脂、オレフィン系樹脂、ポリエステル系樹脂、およびこれらの混合物もしくは変性物から選択される１種以上の樹脂）を用いて構成してもよい。絶縁層４４の厚さは、絶縁性と熱伝導性の調和から決せられ、例えば、１０〜６０μｍ、好ましくは１０〜３０μｍとする。
【００２４】
前記ポリイミド系樹脂としては、例えば、イミド環構造を有するポリイミド、ポリアミドイミド、ポリエステルイミド等を挙げることができる。前記オレフィン系樹脂としては、例えば、ポリエチレン、ポリプロピレン、ポリイソブチレン、ポリブタジエン、ポリイソプレン、シクロオレフィン系樹脂、これらの樹脂の共重合体等が挙げられる。前記ポリエステル系樹脂としては、ポリエチレンテレフタレート、ポリブチレンテレフタレート、ポリエチレンナフタレート、液晶ポリエステル等を挙げることができる。
【００２５】
載置部４５は、配線材料と同じ材料、あるいは熱伝導性に優れた部材により構成され、例えば、銅ペースト、銀ペースト、半田ペースト等の金属ペースト材料を塗布、焼成することにより形成しても良い。載置部４５を設けず、無機系白色絶縁層４２または実装基板４１の上面を露出させるようにしてもよい。
【００２６】
ＬＥＤチップ４６は、例えば窒化ガリウム系（ＧａＮ、ＡｌＧａＮ、ＩｎＧａＮ）、リン化ガリウム系（ＧａＰ、ＧａＡｓＰ）、ヒ素化ガリウム系（ＧａＡｓ、ＡｌＧａＡｓ、ＡｌＧａＩｎＰ）、酸化亜鉛系（ＺｎＯ）の中から発光色に応じて選択される表面実装型ＬＥＤベアチップである。多数個のＬＥＤチップ３がリフレクターブロック内でｎ行×ｍ列（例えば、６直列×７並列、４直列×４並列）にマトリックス状に配置され、所謂ＣＯＢ（Chip On Board）実装される。高輝度を実現するために、ＬＥＤチップ４６は、例えば最大定格電流３００ｍＡ以上、好ましくは最大定格電流４００ｍＡ以上、さらに好ましくは最大定格電流５００ｍＡ以上のＬＥＤチップを使用する。ＬＥＤチップ４６の大きさは、３〜４ｍｍ四方以下（好ましくは１．５ｍｍ四方以下）であり、発光色単位で全て同一の仕様である。第一実施形態では１．０×１．０×０．１５ｍｍ、配光角度１５０度のＬＥＤチップを使用した。
【００２７】
下記表１に、３０００ｌｍ、４０００ｌｍおよび５０００ｌｍを実現するためのＬＥＤチップの配置例を示す。表１における外形サイズとは、ＬＥＤチップが実装される実装基板の大きさ（またはＬＥＤチップが搭載される実装領域）のことを指すものとする。
［表１］
0006735072.tif 000002
【００２８】
透光性樹脂層４７は、例えば、エポキシ系やシリコーン系樹脂からなる透明の樹脂層であるが、所望のＲ光、Ｇ光、Ｂ光を射出するために、赤色、緑色および／または青色の蛍光体が混入される場合がある。
透光性樹脂層４７の上面に、透明の樹脂（例えばエポキシ系やシリコーン系樹脂）により形成され、ＬＥＤチップ４６からの発光を集束させる表面が球形（側面視弓形）の凸レンズ（マイクロレンズ）を設けてもよい。この凸レンズを設けることにより、配光角を目標値以内（例えば１０〜３０度）とすることが容易に実現できる。
【００２９】
図３を参照しながら、リフレクターブロック５０の構成を詳細に説明する。
リフレクターブロック５０は、２０個のマイクロリフレクター５１と、マイクロリフレクター５１の内周面に形成された反射層（反射面）５２とを備えて構成される。板状のリフレクターブロック５０は一体成形されており、第一実施形態では有機系樹脂を射出成形することにより作製した。高精度な表面を形成することができれば、リフレクターブロック５０の製造は射出成形に限定されず、樹脂や金属を切削することにより作製してもよい。出願時の技術水準では難しいが、将来的には３Ｄプリンタにより作製することも可能になると考えられる。
またリフレクターブロック５０は、心材に金属（例えば４２アロイや銅）を用いて外周部を有機系樹脂で覆い、表面に反射材処理を施こした構造としても良い。
【００３０】
２０個のマイクロリフレクター５１は、図３（ａ）に示すごとく、縦方向３ｍｍピッチ、横方向３ｍｍピッチで５行×４列に配置されている。マイクロリフレクター５１は底部から上端部（出射側）に向けて拡径された円錐台状の空間であって（図３（ｂ）参照）、底部の直径２ｍｍ、上端部の直径３．０５ｍｍ、高さ４ｍｍ、拡径角度７．５°であり、直線傾斜の反射層（内周面）５２を有する。マイクロリフレクター５１の内周面には、アルミの電解研磨あるいはアルミ蒸着による反射層５２が形成されている。
プロジェクター用のマイクロリフレクター５１の底部はＬＥＤチップ辺比で１．５〜３倍（好ましくは１．５〜２倍）かつ３ｍｍ以下の直径を有し、高さはＬＥＤチップ辺比で２〜１０倍（好ましくは２〜５倍）の高さを有し、上端部はＬＥＤチップ辺比で３〜６倍（好ましくは４〜５倍）の直径を有するようにする。マイクロリフレクター５１の配置ピッチは、縦横共に６ｍｍ以下とすることが好ましく、５ｍｍ以下とすることがより好ましい。別の観点からは、ＬＥＤチップが、１２．２５ｍｍ２あたり１個以上の密度（好ましくは９ｍｍ２あたり１個以上の密度）でＬＥＤチップを配置できるように、マイクロリフレクター５１の配置ピッチを決定する。ただし、所望の光束分布を得るためには、各マイクロリフレクター５１は、相互に重なり合うことが無いように（独立した上部開口を有するように）設けることが好ましい。
【００３１】
各マイクロリフレクター５１の底部中央には、ＬＥＤチップ４６が配置されている。図３の上下に延びる４本の直線上に並ぶ５個のマイクロリフレクター５１に配置されるＬＥＤチップ４６が直列に接続されており、直列に接続された５個のＬＥＤチップ群は並列に接続されている（５直列×４並列）。マトリックス状に配置された２０個のＬＥＤチップ４６がなす配光角度は３０度以下であることが好ましく、更に好ましくは５〜２０度または１０〜１５度とする。
なお、図３では、マイクロリフレクター５１を２０個設ける態様を例示しているが、マイクロリフレクター５１の個数はこれに限定されず、例えば、８個〜１００個（好ましくは１２個〜１００個、より好ましくは１６個〜５０個でもよい。
リフレクターブロック５０は、図４に示すように、液晶ライトバルブ２３よりも一回り大きい（例えば、面積比で１．２１倍以上、好ましくは１．４４倍以上、より好ましくは１．６９倍以上）照射面を構成する大きさとすることが好ましい。別の観点からは、照射面の外縁を構成する各マイクロリフレクター５１に液晶ライトバルブ２３が完全に囲繞される（最も外側に位置する各マイクロリフレクター５１に液晶ライトバルブ２３が重ならない）ように照射面を構成することが好ましい。このような構成とすることにより、高出力且つ均一性に優れた照射光をダイクロックプリズム３１に入射することができるからである。このような照射面をコンパクトに構成するためには、後述する変形例のように、マイクロリフレクター５１を千鳥配置ないしハニカム配置することが好ましい。
【００３２】
＜変形例＞
図５は、４２個のマイクロリフレクター５１を備えるリフクレター５０の変形例の平面図と側面図である。このリフレクターブロック５０は、左右一対の外枠部５３と、図示上方に３本および図示下方に２本設けられた仕切枠５４とを備えている。マイクロリフレクター５１の内周面にアルミの電解研磨あるいはアルミ蒸着による反射層５２が設けられている点は、図３と同様である。
図５のリフレクターブロック５０の外形寸法は２４ｍｍ×２４ｍｍであり、ＬＥＤチップ４６は左右方向に２．６ｍｍピッチ、上下方向に３．０ｍｍピッチで配置されており、各列は上下方向に半ピッチ分、交互にずらして配置されている。図５のリフレクターブロック５０は、マイクロリフレクター５１が千鳥配置ないしハニカム配置することにより、マイクロリフレクター中心間のピッチを狭め集積度を高めている。すなわち、互いに接する３個のマイクロリフレクター５１の上部開口の中心が、正三角形の頂点をなすように配置されている。マイクロリフレクター５１の上面視形状は図示の円形に限定されず、例えば六角形以上の正多角形としてもよい。この場合、底部開口と上部開口は相似形かつ同心とすることが好ましい。
図６に、図５のリフレクターブロック５０を備えるＬＥＤ光源装置２１の斜視図を示す。リフクレター５０のマイクロリフレクター５１、仕切枠に囲まれた切り欠き部および外枠部５３の外側部分には、無機系白色層４２が露出している。
【００３３】
以上に説明したＬＥＤ光源装置２１は、同一仕様のものが三つ設けられ、赤色光（Ｒ光）、緑色光（Ｇ光）および青色光（Ｂ光）を発光するための光源として利用される。
【００３４】
＜シミュレーション＞
＜Ａ．最大照度および受光束＞
第一実施形態のリフレクターブロック５０の性能を検証すべく、下記の条件でシミュレーションを実施した。ここで用いたリフレクターブロック５０Ａは、図３（ｂ）と同じ形状のマイクロリフレクター５１（すなわち、底部の直径２ｍｍ、上端部の直径３．０５ｍｍ、高さ４ｍｍ、拡径角度７．５°）を有しており、レンズ無しのモデルである。
（１）２０個のＬＥＤチップを図３（ａ）に示すごとく、縦方向３ｍｍピッチ、横方向３ｍｍピッチで５行×４列に配置した。なお、マイクロレンズは置かないものとする。
（２）ＬＥＤチップ１個あたり１００００本の光線と仮定し、２０個のＬＥＤチップで２０万本の光線とする。
（３）ＬＥＤチップ１個あたり光束１ルーメンと仮定し、２０個のＬＥＤチップの全光束を２０ルーメンとする。
（４）下記の検知器を受光面として設定する。
１００ｍｍ先    ２５ｍｍ角検知器（２００×２００分割）
【００３５】
リフレクターブロック５０を配置した場合と配置しない場合とで、最大照度および受光束の違いを検証したところ、下記表２の結果のとおりとなった。
［表２］
0006735072.tif 000003
【００３６】
シミュレーション結果（表２）から、図６に示す直線傾斜の反射層５２を有するリフレクターブロック５０を配置した場合は、リフレクター無の場合に比べ光束が４．８２倍も向上しているのが分かる。
【００３７】
＜Ｂ．配光角＞
図７は、表２とは異なる配光角シミュレーション解析結果例を示す図である。
図７中、（ａ）はリフレクター無しの場合、（ｂ）はリフレクターブロック５０Ａ（レンズ無し）を使用した場合、（ｃ）はリフレクターブロック５０Ｂ（レンズ有り）を使用した場合を示している。（ａ１）は（ａ）の要部拡大図、（ｂ１）は（ｂ）の要部拡大図である。解析ソフトは、ＦＲＥＤ（Ｐｈｏｔｏｎ  Ｅｎｇｉｎｅｅｒｉｎｇ  ＬＬＣ）を使用した。
解析の結果、受光面積２５ｍｍ角、距離１００ｍｍで（ａ）では照度が５２４，９２２（ｌｘ）、広がり角が７５°となり、（ｂ）では照度が１，５５２，１０４（ｌｘ）、広がり角が３０°（集光部（線の濃い部分）では１０°）以下となり、（ｃ）では照度が２，７３４，０６２（ｌｘ）、広がり角が３０°（集光部は（ｂ）に比べてさらに濃い）以下となった。
【００３８】
《第二・第三実施形態》
図８は第二実施形態のマイクロリフレクター６１の形状示す側面模式図である。マイクロリフレクター６１は、ＬＥＤチップ４６が中心に配置される底部開口６２と、小径胴６３と、反射面（６４，６５，６６，６７）と、上部開口６８とを備えて構成される。底部開口６２の直径は１．８ｍｍであり、上部開口６８の直径は４．０ｍｍであり、底部開口６２から上部開口６８までの距離（高さ）は５．０ｍｍである。円筒状の小径胴６３は、下端が底部開口６２を構成し、上端が反射面（第一内周面６４）に連続する。
【００３９】
反射面は、第一ないし第四内周面（６４，６５，６６，６７）から構成され、中心軸に対する角度を段階的に狭くしながら上方へ向けて拡径された構造を有している。すなわち、第一内周面６４は６０°、第二内周面６５は６５°、第三内周面６６は７０°、第四内周面６７は８５°で拡径しており、底部開口６２から上部開口６８に向けて中心軸に対する角度が段階的に狭くなっている。第一ないし第四内周面（６４，６５，６６，６７）は、いずれもＬＥＤチップ４６からの照射光をマイクロリフレクター６１の中心軸側に集光するよう作用する。本実施形態とは異なり、反射面を角度の異なる三つまたは五つの内周面により構成してもよく、この場合も、例えば６０°〜８５°の範囲で中心軸に対する角度を段階的に狭くしながら上方へ向けて拡径された構造とする。
【００４０】
図９はマイクロリフレクター６１で、光がＬＥＤチップの左端部（a）、中央（ｂ）、右端部（ｃ）から放射された場合のリフレクター効果を図示したものである。図９（ｂ）から分かるように、ＬＥＤチップの中央からの放出光線は、リフレクター６１の内周面に反射し、光線の大部分が平行光線となる。
【００４１】
図１０（ａ）は、第二実施形態に係るリフレクターブロック６０の平面図である。
矩形のリフレクターブロック６０は、４直列、５並列に縦横それぞれ４ｍｍピッチで配置された２０個のリフレクター６１を備えている。リフレクターブロック６０の構造は、第一実施形態と同様である。
【００４２】
図１０（ｂ）は、第三実施形態に係るＬＥＤ光源装置７０の平面図である。
円形のリフレクターブロック７１は、４直列、４並列に縦横それぞれ４ｍｍピッチで配置された１６個のリフレクター７２を備えている。リフレクターブロック７１の構造は、第一および第二実施形態と同様である。このＬＥＤ光源装置７０は、高さ３０ｍｍの外部リフレクター７３を備えている。外部リフレクター７３はリフレクターブロック７１を囲む内周面に反射構造を有し、上方向かって拡径された形状である。
【００４３】
第二実施形態に係るリフレクターブロック６０の性能を検証すべく、リフレクターブロック６０の各開口に２０個のＬＥＤチップを配置した光源部と、当該光源部からリフレクターブロック６０を取り外した光源部について、シミュレーションを実施した。また、外部リフレクター７３を備える第三実施形態に係るＬＥＤ光源装置７０についてもシミュレーションを実施した。これらのシミュレーションは、２５ｍｍ角検知器８０を、３０ｍｍの距離に配置するとの条件で実施した。シミュレーション結果を表３に示す。
【００４４】
［表３］
0006735072.tif 000004
【００４５】
表３の結果から、リフレクター無の場合は受光面での光束が１３．４％しかないのに比べて、リフレクター有（内部）では７０．５％（５．２６倍）まで向上しているのが分かる。
このように第二実施形態のリフレクターブロックであれば、レンズを用いなくても集光効果が５倍以上得られることが確認できた。また、外部リフレクター７３を備える第三実施形態に係るＬＥＤ光源装置７０によれば、さらに集光効果が得られることが確認できた。
【００４６】
《第四実施形態》
図１１は第四実施形態のマイクロリフレクター９１ａ〜９１ｃの形状を示す側面模式図である。第四実施形態のマイクロリフレクター９１ａ〜９１ｃは、第一ないし第三実施形態と同様であり、リフレクターブロックにアレイ状に２０個配置されている（図１０（ａ）参照）。
【００４７】
マイクロリフレクター９１ａ〜９１ｃの性能を検証すべく、マイクロリフレクター９１ａ〜９１ｃを配置した光源部と、当該光源部からマイクロリフレクター９１ａ〜９１ｃを取り外した光源部について、シミュレーションを実施した。これらのシミュレーションは、２５ｍｍ角検知器を、３０ｍｍの距離に配置するとの条件で実施した。表４にシミュレーションの前提となる光源部の仕様を、表５にシミュレーションの結果を示す。
【００４８】
なお、第四実施形態では、ＬＥＤチップの出力を便宜上１ｌｍとしているが、同等サイズで２５０〜２６００ｌｍの出力を有するＬＥＤチップが市販されており、このＬＥＤチップを実装することにより、３個の光源からの全光束値を２０００ｌｍまたは３０００ｌｍ以上とすることが可能である。
【００４９】
［表４］
0006735072.tif 000005
【００５０】
［表５］
0006735072.tif 000006
【００５１】
表５の結果から、リフレクターありの場合はなしの場合と比べ５倍以上の光束（ｌｍ）を得られることが確認された。
図１２は、第四実施形態に係るマイクロリフレクター９１ａの内周面形状を説明するための側面図である。同図中の点で示す箇所は屈曲点であり、二つの点で挟まれた箇所（内周面）は直線状となっている。すなわち、マイクロリフレクター９１ａは角度の異なる七つの内周面により反射面が構成される。
このように、反射層を断面が直線状の多数の内周面から構成することにより、中心部分に光線密度が最も高い部分を一定面積確保することを可能としている。換言すれば、プロジェクター用光源においては、中心部分のみの光線密度を高めること（すなわち、光線密度の高い部分の面積が小さくなりすぎること）は好ましくない。この点、リフレクターの反射層を滑らかな周面（スムーズな曲面）により構成すると、光線密度の高い部分の面積が小さくなりすぎる傾向がある。
【００５２】
図１３（ａ１）は第四実施形態に係るマイクロリフレクター９１ａの形状を示す側面模式図、（ｂ１）は比較例１に係るマイクロリフレクター９２の形状を示す側面模式図、（ａ２）は第四実施形態（マイクロリフレクター９１ａ）に係るＬＥＤ光源装置の指向性のシミュレーション結果であり、（ｂ２）は比較例１に係るＬＥＤ光源装置の指向性のシミュレーション結果である。
角度の異なる断面が直線状の多数の内周面を有するマイクロリフレクター９１ａでは、（ａ２）に示すように、指向性データの先端部が潰れており、光線密度が高い部分を一定面積確保できることが分かる。
スムーズな曲面からなる反射面を有する比較例１では、（ｂ２）に示すように、指向性データの先端が尖っており、光を中心に集中させやすい反面、光線密度が高い部分を一定面積確保することが難しいことが分かる。
以上より、角度の異なる断面が直線状の多数の内周面を有するマイクロリフレクターの方が、スムーズな曲面からなる反射面を有するリフレクターと比べ光線の均一分布の点では優れているといえる。
なお、マイクロリフレクター９１ｂについては、光束量、光束分布および指向性のシミュレーションを実施しており、この結果は第五実施形態の箇所で後述する。
【００５３】
《第五実施形態》
第五実施形態では、１つのＬＥＤチップと１つのリフレクターを備えるＬＥＤ光源装置１００を開示する。
図１４は、第五実施形態に係るＬＥＤ光源装置１００の平面図である。本実施形態のＬＥＤ光源装置１００は、リフレクターブロック１０１と、リフレクター１０２と、ＬＥＤチップ１０３とを備えている。
矩形のリフレクターブロック１０１は、中心部に１個のリフレクター１０２を備えている点を除くと、基本構造は第一ないし第三実施形態と同様である。ＬＥＤチップ１０３は、大きさが３．０×３．０×０．４５ｍｍ、出力が２０ｌｍ、配向角が１５０度である。
なお、第五実施形態では、第四実施形態と同様、便宜上出力を２０ｌｍとしているが、ＬＥＤチップを高出力のものに変えることにより３個の光源からの全光束値を２０００ｌｍまたは３０００ｌｍ以上とすることが可能である。
【００５４】
図１５は、リフレクター１０２の形状を示す側面模式図である。リフレクター１０２の各寸法は、第四実施形態に係るマイクロリフレクター９１ｂの対応する各寸法の３倍である。リフレクター１０２の内周面には、第一ないし第三実施形態と同様の反射材処理が施こされている。
【００５５】
第五実施形態に係るＬＥＤ光源装置１００の性能を検証すべく、シミュレーションで光線および光束を解析した。このシミュレーションでは、２５ｍｍ角検知器８０を、３０ｍｍの距離に配置するとの条件で実施した。
第五実施形態の性能のシミュレーションに際しては、次の比較例についてのシミュレーションも同時に実施した。
【００５６】
［比較例２］
比較例２は、図１６に示すように、二枚の集光レンズ１１１、１１２を備える公知のＬＥＤ光源装置１１０である。このＬＥＤ光源装置１１０は、集光レンズ１１１、１１２と、ＬＥＤチップ１１３が実装された実装基板１１４とを備えている。
集光レンズ１１１は、両凸レンズであり、ＬＥＤチップ１１３と反対側（液晶ライトバルブ側）にある凸レンズ１１１ａと、ＬＥＤチップ１１３側にある１１１ｃと、１１１ａと１１１ｃに挟まれる円盤状の胴部１１１ｂとで構成される。凸レンズ１１１ａは、直径２７ｍｍ、厚み７．５ｍｍ、曲率は０．０５５５である。胴部１１１ｂは、直径２７ｍｍ、高さ２．５ｍｍである。凸レンズ１１１ｃは、直径２７ｍｍ、厚み０．５ｍｍ、曲率は０．１８８である。集光レンズ１１１の透過率は９０％である。
【００５７】
集光レンズ１１２は、平凸レンズであり、ＬＥＤチップ１１３と反対側（液晶ライトバルブ側）にある凸レンズ１１２ａとＬＥＤチップ１１３側にある胴部１１２ｂとで構成される。凸レンズ１１２ａは、直径１６ｍｍ、厚み５ｍｍ、曲率は０．１である。円筒部１１２ｂは、直径１６ｍｍ、高さ４．２ｍｍである。集光レンズ１１２の透過率は９０％である。
集光レンズ１１２の中心下方に、３．５ｍｍ×２．８ｍ角のＬＥＤチップ１１３が配置される。ＬＥＤチップ１１３は、実装基板１１４に設けられた配線パターンと電気的に接続されている。
【００５８】
［比較例３］
比較例３は、第五実施形態のＬＥＤ光源装置１００から、リフレクターブロック１０１を取り外した光源装置である（図１７（ｃ）参照）。換言すると、比較例３のＬＥＤチップは、第五実施形態と同じものであることから出力は同じ（２０ｌｍ）であるが、リフレクターブロック１０１を備えないことから広がり角および拘束の点で相違する。
【００５９】
［シミュレーション結果］
以下、各ＬＥＤ光源装置についてのシミュレーションの結果を示す。図１７では、第五実施形態、比較例２および比較例３を比較し、図１８では、第五実施形態、比較例２および第四実施形態（マイクロリフレクター９１ｂ）を比較している。なお、シミュレーションによる比較のため、各ＬＥＤ光源装置の全光束は、いずれも２０ｌｍに設定した。
【００６０】
＜光配向＞
図１７に、第五実施形態、比較例２および比較例３の各ＬＥＤ光源装置について行った配向角のシミュレーションの結果を示す。図１７中、（ａ）は第五実施形態に係るＬＥＤ光源装置１００、（ｂ）は比較例２に係るＬＥＤ光源装置１１０、（ｃ）は比較例３に係るＬＥＤ光源装置の結果を示している。なお、同図では、光線を見やすくするために光線数を１００本に削減した上で図示している。
図１７（ａ）から、第五実施形態に係るＬＥＤ光源装置１００の照射光の配向角が小さく、中心部の光線密度が同図中で最も高いことが分かる。
図１７（ｂ）から、比較例２に係るＬＥＤ光源装置１１０の照射光の配向角は図１７（ｃ）と比べると小さく、光線密度は図１７（ａ）と比べると均一に分布していることが分かる。
図１７（ｃ）から、リフレクターを備えない比較例３では光線がランダムに広がっていることが分かる。
【００６１】
＜光束量および光束分布＞
２５ｍｍ角検知器８０に到達した光束量はそれぞれ、（ａ）第五実施形態が１９．１７ｌｍ、（ｂ）比較例２が７．７６ｌｍ、（ｃ）第四実施形態（マイクロリフレクター９１ｂ）が１５．２６ｌｍであった。
図１８に、第五実施形態、比較例２および第四実施形態（マイクロリフレクター９１ｂ）の各ＬＥＤ光源装置について行った光束量および光束分布のシミュレーションの結果を示す。図１８中、（ａ）は第五実施形態に係るＬＥＤ光源装置１００、（ｂ）は比較例２に係るＬＥＤ光源装置１１０、（ｃ）は第四実施形態（マイクロリフレクター９１ｂ）に係るＬＥＤ光源装置の結果を示している。
図１８（ａ）から、第五実施形態に係るＬＥＤ光源装置１００は、中心部の光線密度が最も高い（最も明るい）が、別の観点からは、光束が２５ｍｍ角検知器８０の中心部に集まり、２５ｍｍ角検知器８０の周辺部が暗くなって明るさにムラが生じてしまうことが分かる。
図１８（ｂ）から、比較例２に係るＬＥＤ光源装置１１０は、照射光の配向角は広く、光線密度は図１８（ａ）および（ｃ）と比べ広い面積に光束が分布していることが分かる。
図１８（ｃ）から、第四実施形態（マイクロリフレクター９１ｂ）に係るＬＥＤ光源装置は、図１８（ａ）に比べ中心部の光線密度の点では劣るが、光線の均一分布の点では優れていることが分かる。特に、中心部分に光線密度が最も高い部分を一定面積確保する点において、第五実施形態および比較例２と比べて優れている。
図１９に、第五実施形態、比較例２および第四実施形態（マイクロリフレクター９１ｂ）の各ＬＥＤ光源装置について行った指向性のシミュレーションの結果を示す。図１９（ａ）および（ｃ）では、先端がフラットになっており、均一性が良好であることが分かる。
【００６２】
以上、シミュレーションの結果より、第五実施形態に係るＬＥＤ光源装置１００は、配向角が小さく光線密度が高いという特徴を持つことが分かった。第五実施形態との比較の結果、プロジェクター用光源としては第四実施形態（マイクロリフレクター９１ｂ）に係るＬＥＤ光源装置が最も評価が高いことが確認された。
【００６３】
《第六実施形態》
第六実施形態のＬＥＤ光源装置１２１は、主として配線層１４３が二層から構成される点と無機系白色絶縁層１４４を備える点とで第一実施形態のＬＥＤ光源装置２１と相違する。以下では、相違点を中心に説明し、共通する構成については説明を割愛する。
図２１を参照しながら、ＬＥＤ光源装置１２１の構成を詳細に説明する。なお、図２１は構造を説明するための模式図であり、本実施形態におけるＬＥＤチップ１４６の配置を正確に示したものではない。
ＬＥＤ光源装置１２１は、実装基板１４１と、実装基板１４１の上面に塗布された無機系白色絶縁層１４２と、無機系白色絶縁層１４２の上面に塗布形成された配線層１４３と、無機系白色絶縁層１４４と、配線露出部１４５と、ＬＥＤチップ１４６と、透光性樹脂層１４７と、リフレクターブロック１５０とを備えている。
【００６４】
実装基板１４１は、第一実施形態の実装基板４１と同じものである。
無機系白色絶縁層１４２は、白色無機顔料を除く組成は第一実施形態と同様であるが、反射効率向上のため、白色無機顔料に酸化チタン（ＴｉＯ２）を用いている。
【００６５】
配線層１４３は、図２２に示すように、実装基板側に形成された第一の配線層１４３１と、第一の配線層１４３１の上に形成された第二の配線層１４３２とからなる。
第一の配線層１４３１は、無機系白色絶縁層１４２との密着性が良好な材料（例えば、導電性樹脂組成物）からなる配線層である。より詳細には、第一の配線層１４３１は、例えば、金ペーストや、導電性フィラーとして機能する金属粒子およびバインダー樹脂を含む金属ペーストを印刷等により無機系白色絶縁層１４２上に配線パターンをなして設け、加熱することで形成される。この金属ペーストに含まれる金属粒子は、通常の印刷回路、導電膜に使用されている材料が使用されるが、最も一般的なものは銀（Ａｇ）の粒子である。金属粒子は、ナノサイズ金属粒子とミクロンサイズ金属粒子とを混合し、ミクロンサイズ金属粒子間の隅間をナノサイズ粒子が埋めることで抵抗値を下げるようにしてもよい。この金属ペーストに含まれるバインダー樹脂としては、例えば、ジシクロペンタジエン型エポキシ樹脂が開示される。第一の配線層１４３１を構成するバインダー樹脂は、多孔質の無機系白色絶縁層１４２に浸み込み、硬化することによりアンカー効果が奏される。
【００６６】
第二の配線層１４３２は、第一の配線層１４３１よりも低抵抗の材料からなる配線層であり、例えば、ナノサイズ銀粒子を含む銀ペーストを印刷等により第一の配線層１４３１上に同じ配線パターンをなして設け、加熱することで形成される。第二の配線層１４３２を複数層により形成してもよい。
【００６７】
無機系白色絶縁層１４４は、配線層１４３の上に形成され、ＬＥＤチップ１４６からの発光を反射する反射層として機能する。無機系白色絶縁層１４４は、無機系白色絶縁層１４２と同様、白色無機顔料に酸化チタン（ＴｉＯ２）を用いた白色無機インクを第二の配線層１４３２の上に塗布、焼成して形成される。ソルダーレジスト層としても機能する無機系白色絶縁層１４４は、配線露出部１４５を露出するように塗布される。配線露出部１４５は、ＬＥＤチップ１４６のマウント部分およびワイヤボンド領域である。
【００６８】
ＬＥＤチップ１４６は、第一実施形態と同様のＬＥＤベアチップであるが、一方の電極が裏面に設けられる構造を有する点で相違する。第一実施形態と同様、各ＬＥＤチップ１４６は各マイクロリフレクター１５１の範囲内に収まるように配置されるが、ワイヤボンディング領域が１箇所であるため、ワイヤボンディング領域が２箇所である第一実施形態と比べ、マイクロリフレクター１５１の底部開口（および上部開口）をより小径とすることが可能である。すなわち、第六実施形態では、第一実施形態と比べＬＥＤチップ１４６の集積度を高めることが可能である。なお、両方の電極をフリップチップ接合することで、よりＬＥＤチップの集積度を高める態様については、第八実施形態で後述する。
【００６９】
透光性樹脂層１４７は、第一実施形態と同様であり、透明または蛍光体が混入された樹脂層である。
【００７０】
以上に説明した第六実施形態のＬＥＤ光源装置１２１によれば、第一実施形態と比べＬＥＤチップ１４６の集積度を高めること、マイクロリフレクター１５１の底部開口および上部開口をより小径とすることが可能である。ＬＥＤチップ１４６の集積度を高めた場合には絶縁層の放熱性が問題となるが、第一実施形態で述べたとおり、無機系白色絶縁層１４２は肉薄に構成することができるので、ドーナツ化現象の問題は生じない。なお、無機系白色絶縁層１４２の放熱性能を向上させるために、上述した液材（白色無機インク）に無機材料からなる高熱伝導フィラー（例えば炭化ケイ素（ＳｉＣ）にｎｍサイズのアルミナ膜をコートしたもの）を混入させてもよい。
【００７１】
また、第六実施形態のＬＥＤ光源装置１２１によれば、配線層１４３の二層配線構造により、多孔質である無機系白色絶縁層１４４との密着性を向上させ、ＬＥＤチップ１４６の発熱による高温環境下においても長期にわたり耐久性を確保することが可能である。さらに、配線層１４３の上にも無機系白色絶縁層１４４を設けているため、ＬＥＤチップ１４６から発せられた光の反射率が高まり、光量を高めることが可能である。
【００７２】
《第七実施形態》
第七実施形態のＬＥＤ光源装置２２１は、リフレクターブロック２５０が、透光性樹脂層２４７の上に配置される点で第六実施形態のＬＥＤ光源装置１２１と相違する。以下では、相違点を中心に説明し、共通する構成については説明を割愛する。
図２３を参照しながら、ＬＥＤ光源装置２２１の構成を詳細に説明する。なお、図２３は構造を説明するための模式図であり、本実施形態におけるＬＥＤチップ２４６の配置を正確に示したものではない。
ＬＥＤ光源装置２２１は、実装基板２４１と、実装基板２４１の上面に塗布された無機系白色絶縁層２４２と、無機系白色絶縁層２４２の上面に塗布形成された配線層２４３と、無機系白色絶縁層２４４と、ＬＥＤチップ２４６と、透光性樹脂層２４７と、ダム材２４８と、リフレクターブロック２５０とを備えている。
【００７３】
実装基板２４１は、第六実施形態の実装基板１４１と同じものである。
無機系白色絶縁層２４２は、第六実施形態の無機系白色絶縁層１４２と同じものであり、無機系白色絶縁層２４４は、第六実施形態の無機系白色絶縁層１４４と同じものである。
【００７４】
配線層２４３は、第六実施形態と同様、実装基板側に形成された第一の配線層と、第一の配線層の上に形成された第二の配線層とからなる。
【００７５】
ＬＥＤチップ２４６は、第六実施形態と同様のＬＥＤベアチップであるが、一方の電極が裏面に設けられる構造を有している。ワイヤボンディング領域が１箇所であるため、ワイヤボンディング領域が２箇所である第一実施形態と比べ、マイクロリフレクター１５１の底部開口（および上部開口）をより小径とすることが可能である。
【００７６】
ダム材２４８は、ＬＥＤチップ２４６の実装領域の外周を囲んで形成され、例えば、白色フィラー含有樹脂により構成される。ダム材２４８の表面には光反射性が付与され、ＬＥＤチップ２４６より発された光を反射する。
【００７７】
リフレクターブロック２５０は、マイクロリフレクター２５１の底部開口の中心がＬＥＤチップ２４６の中心の真上にくるように配置される。なお、図２３では、リフレクターブロック２５０が、ダム材２４８および透光性樹脂層２４７を覆うように配置されているが、透光性樹脂層２４７の上部にリフレクターブロック２５０を配置するようにしてもよい。
【００７８】
第七実施形態では、マイクロリフレクター２５１が透光性樹脂層２４７の上方に配置されるため、ＬＥＤチップ２４６の配線の自由度が高く、ＬＥＤチップ２４６の集積度を高めることが可能である。すなわち、マイクロリフレクター２５１のピッチ直径とする円の範囲内（以下、「配線可能領域」という場合がある）でワイヤボンディング領域を設定できるので、ＬＥＤチップ２４６の集積度を高めることが可能である。
【００７９】
マイクロリフレクター２５１の上部開口の間隔が大きくなるほど配線可能領域の直径は大きくなる。図２３の例では、配線可能領域は、マイクロリフレクター壁２５１ａの中心を通る二本の鉛直線Ａ―Ａ'の範囲となる。
【００８０】
図２４（ａ）、図２５（ａ）はマイクロブロック２５０の構成例である。
図２４（ａ）のマイクロブロック２５０は、２５個のマイクロリフレクター２５１が、縦方向に３．５ｍｍ、横方向に３．０５ｍｍのピッチで千鳥状に５×５個設けられており、外形サイズは２２×２６×ｔ４．８ｍｍである。
図２５（ａ）のマイクロブロック２５０は、４２個のマイクロリフレクター２５１が、縦方向に３．５ｍｍ、横方向に３．０５ｍｍのピッチで千鳥状に７×６個設けられており、外形サイズは２２×２６×ｔ４．８ｍｍである。
各マイクロリフレクター２５１は、図２４（ａ）および図２５（ａ）のいずれも同一であり、それぞれ直径１．４８ｍｍの円の底部開口および直径３．１ｍｍの円の上部開口を有している。
【００８１】
図２４（ａ）のマイクロブロックの２５０場合、各配線可能領域の和は、図２４（ｂ）の斜線でハッチングした領域であり、マイクロリフレクター２５１の上部開口の和よりも広い。図２５（ａ）のマイクロブロック２５０も同様である。このように、同一形状のマイクロリフレクターが等ピッチで配置されている場合、各配線可能領域は互いに外接する同一サイズの円となる。
【００８２】
ＬＥＤチップ２４６と配線層２４３の電気接続は、配線可能領域内でワイヤボンド接続によって行うことができる。ここで、ワイヤが、マイクロリフレクターの上部開口の範囲を越え、マイクロリフレクター壁の下方で電気接続されると、ワイヤが隣接するＬＥＤチップ２４６の光を遮光したりする恐れがあるため、ワイヤボンドはマイクロリフレクターの上部開口の範囲内で行うことが好ましい。言い換えれば、ＬＥＤチップ２４６と配線層２４３は、当該ＬＥＤチップ２４６が配置されるマイクロリフレクター２５１の上部開口の範囲内で結線されることが好ましく、当該ＬＥＤチップ２４６が配置されるマイクロリフレクター２５１の底部開口の範囲内で結線されることが更に好ましい。図２３の例では、二本の鉛直線Ｂ−Ｂ'の範囲がマイクロリフレクター２５１の底部開口の範囲内となる。
【００８３】
第七実施形態のＬＥＤ光源装置２２１によれば、リフレクターブロック２５０が、透光性樹脂層２４７を形成した後に取り付けられるため、製造が容易となる。また、配線可能領域が広いので、マイクロリフレクター２５１を小型化・高密度化することができ、ひいてはリフレクターブロック２５０を小型化することが可能となる。
【００８４】
《第八実施形態》
第八実施形態のＬＥＤ光源装置３２１は、ＬＥＤチップ３４６が、配線層３４３にフリップチップ接合される点で第六実施形態のＬＥＤ光源装置１２１と相違する。以下では、相違点を中心に説明し、共通する構成については説明を割愛する。
図２６を参照しながら、ＬＥＤ光源装置３２１の構成を詳細に説明する。なお、図２６は構造を説明するための模式図であり、本実施形態におけるＬＥＤチップ３４６の配置を正確に示したものではない。
【００８５】
ＬＥＤチップ３４６と配線層３４３は、例えば金や銀を主成分とするバンプ３４９でフリップチップ接合され、あるいは異方性導電フィルム（通称：ＡＣＦ）を用いて接続される。これにより、ワイヤボンドのための領域を必要としないため、ＬＥＤチップ３４６を高密度に実装することができる。フリップチップ接合は、例えば、メッキ等によりＬＥＤチップ３４６上にバンプ３４９を形成し、配線層３４３にマウントした後、裏面３４６Ｂ側からＬＥＤチップ３４６を熱圧着することにより行われる。
【００８６】
ＬＥＤチップ３４６は上面が発光面となっているため、フリップチップ接合に用いられるバンプ３４９を補強するため、バンプ３４９の周囲にはエポキシ材料等のアンダーフィル材を用いてもよい。なお、上述のＡＣＦを用いる場合は、ＡＣＦ自体がアンダーフィル材の役割を奏するので、アンダーフィルは不要である。
【００８７】
第八実施形態のＬＥＤ光源装置３２１によれば、ワイヤボンドのための領域が不要となるので、マイクロリフレクター３５１を小型化・高密度化することができ、ひいてはリフレクターブロック３５０を小型化することが可能となる。
【００８８】
《第九実施形態》
第九実施形態のＬＥＤ光源装置は、ＵＶ硬化型インク硬化用やＵＶ殺菌用の紫外光を発するＬＥＤ光源装置に関する。第九実施形態のＬＥＤ光源装置は、複数のＣＯＢを複数個一列に並べて構成される。
第九実施形態のＬＥＤ光源装置は、図２７に示す実装基板４４１にＬＥＤチップやリフレクターブロック等を実装して１つの単位光源４２１とし、図２８のようにモジュール基板４６０上に１０個の単位光源４２１ａ〜ｊを並べて構成される。なお、図２８において、１０個の単位光源４２１ａ〜ｊに実装したＬＥＤチップやリフレクターブロック等は省略されており、実装基板およびモジュール基板４６０のみが図示されている。
【００８９】
第九実施形態のＬＥＤ光源装置に用いられる単位光源４２１は、ＬＥＤチップおよび無機系白色絶縁層に用いられる白色無機顔料と透明樹脂層を除き、第六実施形態のＬＥＤ光源装置１２１と同様の構成をなしている。以下では、相違点を中心に説明し、共通する構成については説明を割愛する。
【００９０】
第九実施形態の単位光源４２１の構成を詳細に説明する。単位光源４２１の構成は図２６と同様であり、実装基板４４１と、実装基板４４１の上面に塗布された無機系白色絶縁層と、無機系白色絶縁層の上面に塗布形成された配線層と、配線層上に形成された無機系白色絶縁層と、ＬＥＤチップと、リフレクターブロックとを備えている。ダム材あるいは石英ガラス封止のための接着枠は図示していないが、これらの材料として反射材として用いているアルミナの白色無機顔料を用いても良い。また第九実施形態では第六実施形態と異なり、透明樹脂層は設け無くても良いが、チップを保護するためにモジュール全体を一括して、石英ガラス等でカバーすることが好ましい。単位光源のサイズは５０×３０ｍｍであり、モジュール基板４６０上に単位光源４２１ａ〜ｊの長辺を隣り合うように１０個並べたときのサイズは５０×３００ｍｍである。
【００９１】
実装基板４４１は、第六実施形態の実装基板１４１と同じものである。
無機系白色絶縁層は、白色無機顔料を除く組成は第一実施形態と同様であるが、紫外線に対する反射率の高さから、白色無機顔料にアルミナを用いている。
配線層は、第六実施形態の配線層１４３と同様、実装基板側に形成された第一の配線層と、第一の配線層の上に形成された第二の配線層とからなる。
配線層上にある無機系白色絶縁層は、図２７に示す電源電極４４３１、配線露出部４４３２、４４３３を除いた領域に塗布され、第六実施形態と同様、配線層の絶縁およびＬＥＤチップからの発光を反射する反射層として機能する。
電源電極４４３１は、外部の電源装置に接続され単位光源に電源を供給する。
配線露出部４４３２には、ＬＥＤチップがマウントされる。第六実施形態と同様にＬＥＤチップの裏面（配線層側）に電極を設け、フリップチップ接合することによって、ＬＥＤチップと配線層を電気接続することもできる。
配線開口部４４３３は、配線層がＬＥＤチップとワイヤボンド接続される箇所である。
【００９２】
ＬＥＤチップは、第六実施形態と同様、ワイヤボンディングと裏面配線を使用するタイプのＬＥＤベアチップであり、例えば、窒化ガリウム系のＬＥＤチップであり、ＵＶ領域に発光波長を有する。詳細な発光波長の領域としては、ＵＶ硬化型インク硬化用にはＵＶ−Ａ領域、ＵＶ殺菌用にはＵＶ−Ｃ領域が開示される。具体的な波長は、例えば、ＵＶ硬化型インク硬化用として３６５ｎｍ、ＵＶ殺菌用として２６０ｎｍの波長が開示される。ＬＥＤチップの出力角度は、例えば、配向１５０°Ｌａｍｂｅｒｔｉａｎである。
【００９３】
ＬＥＤチップは、１つの単位光源４２１に対し、１００個実装される。１００個のＬＥＤチップは、図２７に示す配線開口部４４３２の位置に、縦３．８ｍｍ、横３ｍｍのピッチで１０×１０個の千鳥配置状に実装される。ＬＥＤチップのサイズは、１．０５×１．０５×０．１１ｍｍである。ＵＶ光源の場合は、所望の紫外線強度を実現するべく、縦５ｍｍ、横５ｍｍピッチ以下とすることが好ましく、更に好ましくは、縦４．２５ｍｍ、横３．７ｍｍピッチ以下とする。紫外線強度の観点からはピッチは狭いほど好ましいが、最終的には、縦横５ｍｍピッチ以下を満たす範囲で、リフレクターブロックの製造容易性とのトレードオフで最適なピッチを決定する。
第九実施形態のＬＥＤ光源装置は、１０個の単位光源４２１ａ〜ｊで構成されるため、用いられるＬＥＤチップの総数は１０００個である。
【００９４】
リフレクターブロックは、第六実施形態のリフレクターブロック１５０と同様の構成であり、マイクロリフレクターの配列は、図２４（ａ）の５×５の千鳥状配列を１０×１０の千鳥状配列に拡張したものとなっている。マイクロリフレクターの大きさは、上部開口がφ３．９ｍｍ、底部開口がφ１．５ｍｍ、高さが３．７ｍｍである。
【００９５】
リフレクターブロックに透光性樹脂層は通常は設けないが、透光性樹脂層で封入する場合は、ＵＶ領域の波長に適した蛍光体を適宜選択する。
【００９６】
第九実施形態のＬＥＤ光源装置の性能を検証すべく、リフレクターブロックの有無における、受光面の紫外光の分布を求めるシミュレーションを実施した。
解析する光線数は１つのＬＥＤチップあたり１０万本（合計で１億本）とし、受光面のサイズは２５０×５００ｍｍとした。
【００９７】
ところで、紫外線照射としてのＬＥＤ光源装置に対し、下記の理由等から、受光面との距離が離れていても紫外線強度を維持したいというニーズが存在する。
（１）ＵＶ硬化型インクの硬化用途の対象である印刷紙は、大型の場合、たわみが生じやすく、受光面を離して照射する必要がある。
（２）ＵＶ殺菌用途としては、対象物に汎用性を持たせるために受光面を離して照射する必要がある。
このため、受光面の距離を４０〜８５ｍｍの間で変えた条件にてシミュレーションを実施し、紫外線強度を検証した。
【００９８】
図２９は、受光面の距離が（ａ）４０ｍｍ、（ｂ）６０ｍｍ、（ｃ）８５ｍｍにおける紫外線強度分布のシミュレーションの結果である。（ａ）、（ｂ）、（ｃ）それぞれの表において真ん中の列は第九実施形態のＬＥＤ光源装置からリフレクターブロックを除いたモデル（表中、「リフレクタなし」と記載）の結果を、右側の列は第九実施形態のＬＥＤ光源装置のモデル（表中、「リフレクタあり」と記載）の結果を示す。結果の項目は、受光面における紫外線強度分布（表中、「面分布」と記載）、受光面の中心線に沿った紫外線強度のプロット（表中、「断面」と記載）、受光面全体の照度（表中、「照度」と記載）である。
【００９９】
（ａ）の「面分布」と「断面」の行を見ると分かるように、リフレクターブロックがある場合は、ない場合に比べて紫外線が受光面中心に集中し、紫外線の分布が狭くなり、ピークが２倍程度になっていることが分かる。
リフレクターブロックがある場合、ない場合に比べて紫外線が受光面中心に集中し、紫外線の分布が狭くなる傾向は（ｂ）、（ｃ）においても同様であった。
リフレクターブロックがない場合に対するリフレクターブロックがある場合のピークの比率は、（ｂ）が２．２倍程度、（ｃ）が２．５倍程度であった。
【０１００】
（ａ）〜（ｃ）のシミュレーション結果から、リフレクターブロックがある場合では、リフレクターブロックがない場合に対して、紫外線の分布が狭くなり、２〜２．５倍のピーク強度が得られることが確認された。また、受光面の距離が長くなるほど、リフレクターブロックがない場合に対するリフレクターブロックがある場合のピーク強度の比率は大きくなることが確認された。
【０１０１】
第九実施形態のＬＥＤ光源装置によれば、リフレクターブロックを用いているため、光源と受光面の距離が離れていても紫外線強度を維持することができ、光源から離して使用するＵＶ硬化やＵＶ殺菌の用途に適しているといえる。
【０１０２】
以上、本開示にて幾つかの実施形態を単に例示として詳細に説明したが、本発明の新規な教示及び有利な効果から実質的に逸脱せずに、その実施の形態には多くの改変例が可能である。
【産業上の利用可能性】
【０１０３】
本発明のＬＥＤ光源装置は、遠くまで出力を有効に使いたい赤外線照明（例えば、赤外線カメラ用）、ＵＶ印刷／ＵＶ硬化／ＵＶ露光用光源、ヘッドランプに好適である。特に離れた対象物に、より多くの出力を与えたい赤外線照明やＵＶ硬化（紫外線硬化型シート等の効果作業等）の用途において効果が大きい（これらのモジュール構成については、第九実施形態を参照）。
更に、赤外線照明で本モジュールを適用した場合は、今まで実現できなかった高出力で小型化（ハンディ）も可能となり、個人ユースのセキュリティ装置（例えば、携帯電話に簡単に取り付け、暗闇での周囲の観察チェックが可能となる）や、車載取付用としての利用も可能になる。
【符号の説明】
【０１０４】
２１  ＬＥＤ光源装置
２２  コリメーターレンズ
２３  液晶ライトバルブ
３１  ダイクロイックプリズム
３２  投射光学系
４１  実装基板
４２  無機系白色絶縁層（基板反射層）
４３  配線層
４４  絶縁層
４５  載置部
４６  ＬＥＤチップ
４７  透光性樹脂層
４８  マイクロレンズ
５０  リフレクターブロック
５１  マイクロリフレクター
５２  反射層（反射面）
５３  外枠部
５４  仕切枠
６０  リフレクターブロック
６１  マイクロリフレクター
６２  底部開口
６３  小径胴部
６４  第一内周面
６５  第二内周面
６６  第三内周面
６７  第四内周面
６８  上部開口
７１  ＬＥＤ光源装置
７２  リフレクターブロック
７３  マイクロリフレクター
７４  外部リフレクター
８０  ２５ｍｍ角検知器
９１  マイクロリフレクター（第四実施形態）
９２  マイクロリフレクター（比較例１）
１００  リフレクター
１１０  公知のＬＥＤ光源装置
１１１  集光レンズ
１１１ａ  凸レンズ
１１１ｂ  胴部
１１１ｃ  凸レンズ
１１２  集光レンズ
１１２ａ  凸レンズ
１１２ｂ  胴部
１１３  ＬＥＤチップ
１１４  実装基板
１２１  ＬＥＤ光源装置
１４１  実装基板
１４２  無機系白色絶縁層（基板反射層）
１４３  配線層
１４３１  第一の配線層
１４３２  第二の配線層
１４４  絶縁層
１４６  ＬＥＤチップ
１４７  透光性樹脂層
１５０  リフレクターブロック
１５１  マイクロリフレクター
２２１  ＬＥＤ光源装置
２４１  実装基板
２４２  無機系白色絶縁層（基板反射層）
２４３  配線層
２４４  絶縁層
２４６  ＬＥＤチップ
２４７  透光性樹脂層
２４８  ダム材
２５０  リフレクターブロック
２５１  マイクロリフレクター
２５１ａ  マイクロリフレクター壁
３２１  ＬＥＤ光源装置
３４１  実装基板
３４２  無機系白色絶縁層（基板反射層）
３４３  配線層
３４４  絶縁層
３４６  ＬＥＤチップ
３４６Ａ  表面
３４６Ｂ  裏面
３４７  透光性樹脂層
３４９  バンプ
３５０  リフレクターブロック
３５１  マイクロリフレクター
４４１  実装基板
４２１  単位光源
４２１ａ〜ｊ  単位光源
４６０  モジュール基板
Ｌ  投射光
【図１】
0006735072.tif 000007
【図２】
0006735072.tif 000008
【図３】
0006735072.tif 000009
【図４】
0006735072.tif 000010
【図５】
0006735072.tif 000011
【図６】
0006735072.tif 000012
【図７】
0006735072.tif 000013
【図８】
0006735072.tif 000014
【図９】
0006735072.tif 000015
【図１０】
0006735072.tif 000016
【図１１】
0006735072.tif 000017
【図１２】
0006735072.tif 000018
【図１３】
0006735072.tif 000019
【図１４】
0006735072.tif 000020
【図１５】
0006735072.tif 000021
【図１６】
0006735072.tif 000022
【図１７】
0006735072.tif 000023
【図１８】
0006735072.tif 000024
【図１９】
0006735072.tif 000025
【図２０】
0006735072.tif 000026
【図２１】
0006735072.tif 000027
【図２２】
0006735072.tif 000028
【図２３】
0006735072.tif 000029
【図２４】
0006735072.tif 000030
【図２５】
0006735072.tif 000031
【図２６】
0006735072.tif 000032
【図２７】
0006735072.tif 000033
【図２８】
0006735072.tif 000034
【図２９】
0006735072.tif 000035